(57)【要約】【課題】チケット等の紙片を機械的に繰り出しするのに適した状態に矯正することができる紙片矯正装置を提供する。【解決手段】紙片矯正装置１の装填部２に装填されたチケットＡ…を繰出しローラ６…により下層側から順に繰出して分離部３へ供給する。装填部２から供給されるチケットＡを分離部３の分離ローラ９Ａ，９Ｂにより１枚ずつに分離して矯正部４へ供給する。分離部３から供給される反りが生じたチケットＡを矯正部４の矯正ローラ１１Ａ，１２Ａ，１２Ｂにより逆の方向に変形させ、略真っ直ぐな状態に矯正して集積部５へ供給する。矯正済みのチケットＡ…を集積部５内に上方から１枚ずつ投入して積層状態に集積した後、矯正済みのチケットＡ…を集積部５から取出して販売機に装填する。【選択図】図１
2008094598.tif 000002
【特許請求の範囲】
【請求項１】
複数枚の紙片を装填する装填部と、装填部から繰り出される紙片を分離する分離部と、分離部から供給される紙片を矯正する矯正部と、矯正部から供給される矯正済みの紙片を集積する集積部とを装置本体に内蔵した紙片矯正装置であって、
上記矯正部を、上記紙片が厚み方向に対して押圧される方向に対接した第１の矯正ローラと第２の矯正ローラで構成し、
上記第１の矯正ローラと第２の矯正ローラとの間に送り込まれる紙片を、一方の矯正ローラに対して他方の矯正ローラにより押し付けながら搬送して、反りが生じた方向とは逆の方向へ変形させて略真っ直ぐな状態に矯正することを特徴とする
紙片矯正装置。
【請求項２】
上記他方の矯正ローラを、上記一方の矯正ローラの前後周面に対接した
請求項１に記載の紙片矯正装置。
【請求項３】
上記一方の矯正ローラを、他方の矯正ローラよりも大径に形成した
請求項１又は２に記載の紙片矯正装置。
【請求項４】
上記各矯正ローラを一体的に連動して駆動する一つのローラ駆動手段を備えた
請求項１〜３のいずれか一つに記載の紙片矯正装置。
【請求項５】
上記装置本体を、携帯可能な大きさ及び形状に設けた
請求項１に記載の紙片矯正装置。
【発明の詳細な説明】
【技術分野】
【０００１】
この発明は、例えば乗車券、搭乗券、入場券、鑑賞券、勝馬投票券（馬券）からなるチケット等のシート状の紙片を機械的に繰り出しするのに適した状態に矯正する際に用いられる紙片矯正装置に関する。
【背景技術】
【０００２】
上記紙片は、ロール状に巻回された原反を１枚ずつに分離して使用するが、原反の終端側に近くなるほど紙片に生じる反りが大きく、販売機により販売する際に、複数枚の紙片が上下に重なり合ったまま繰り出されるか、搬送途中に詰まる等の繰出しミスが発生することがあるため、反りが生じた紙片を１枚ずつ矯正してから販売機に装填しなければならない。
【０００３】
上記紙片を矯正する装置としては、例えばカールが生じたシート材を、エンドレスベルトとエンドレスベルトの間に送り込んでカールを除去する特許文献１のシート材のカール除去装置と、カールが生じたシート材を、エンドレスベルトと押圧ローラの間に送り込んでカールを除去する特許文献２のシート材のカール除去装置とがある。
【特許文献１】特開昭５８−１０００５６号公報
【特許文献２】特開昭５８−１０００５７号公報
【発明の開示】
【発明が解決しようとする課題】
【０００４】
しかし、特許文献１，２のカール除去装置は、エンドレスベルトの搬送面をシート材の面に押付けて搬送するので、エンドレスベルトとシート材の接触面積及び接触時間が長く、エンドレスベルトが押付けられるシート材の面に擦り傷が付いたり、シート材の面に印刷された塗料やインクが剥がれ落ちることがある。
【０００５】
この発明は上記問題に鑑み、紙片を機械的に繰り出しするのに適した状態に矯正することができる紙片矯正装置の提供を目的とする。
【課題を解決するための手段】
【０００６】
請求項１に記載した発明の紙片矯正装置は、複数枚の紙片を装填する装填部と、装填部から繰り出される紙片を分離する分離部と、分離部から供給される紙片を矯正する矯正部と、矯正部から供給される矯正済みの紙片を集積する集積部とを装置本体に内蔵した紙片矯正装置であって、上記矯正部を、上記紙片が厚み方向に対して押圧される方向に対接した第１の矯正ローラと第２の矯正ローラで構成し、上記第１の矯正ローラと第２の矯正ローラとの間に送り込まれる紙片を、該一方の矯正ローラに対して他方の矯正ローラにより押し付けながら搬送して、反りが生じた方向とは逆の方向へ変形させて略真っ直ぐな状態に矯正することを特徴とする。
【０００７】
この発明によると、装填部から繰り出される紙片を分離部により１枚ずつに分離し、分離部から供給される反りが生じた紙片を、矯正部に配置した第１の矯正ローラと第２の矯正ローラとの間に送り込む。反りが生じた紙片を一方の矯正ローラに対して他方の矯正ローラにより押し付けながら搬送する。一方の矯正ローラの外周面に沿った状態に押し付けて、反りが生じた方向とは逆の方向へ変形させて、反りを取り除くことにより略真っ直ぐな状態に矯正する。
【０００８】
上記紙片は、例えば乗車券、搭乗券、入場券、鑑賞券、勝馬投票券（馬券）等のシート状の紙片で構成することができる。また、矯正ローラの外周面には、例えばウレタンゴム、スポンジゴム等の接触抵抗の大きい部材を被覆している。また、矯正ローラの外周面を、上記接触抵抗の大きい部材で形成してもよい。
【０００９】
請求項２に記載した発明の紙片矯正装置は、上記請求項１に記載の構成と併せて、上記他方の矯正ローラを、上記一方の矯正ローラの前後周面に対接したことを特徴とする。
【００１０】
この発明によると、反りが生じた紙片を、他方の各矯正ローラにより一方の矯正ローラの前後周面に沿った状態に押し付けて矯正する。
【００１１】
請求項３に記載した発明の紙片矯正装置は、上記請求項１又は２に記載の構成と併せて、上記一方の矯正ローラを、他方の矯正ローラよりも大径に形成したことを特徴とする。
【００１２】
この発明によると、反りが生じた紙片を、大径に形成した矯正ローラの外周面に沿った状態に押し付けて、紙片全体を略均等に矯正する。
【００１３】
請求項４に記載した発明の紙片矯正装置は、上記請求項１〜３のいずれか一つに記載の構成と併せて、上記各矯正ローラを一体的に連動して駆動する一つのローラ駆動手段を備えたことを特徴とする。
【００１４】
この発明によると、第１の矯正ローラと第２の矯正ローラを一つのローラ駆動手段により一体的に連動して駆動するので、装置全体の構造及び構成を簡素化して、小型化、軽量化を図ることができる。また、ローラ駆動手段は、例えばモータ、プーリ、ベルト、ギヤ等で構成することができる。また、装填部の繰出しローラ、分離部の分離ローラ等を同一のローラ駆動手段により駆動してもよい。
【００１５】
請求項５に記載した発明の紙片矯正装置は、上記請求項１に記載の構成と併せて、上記装置本体を、携帯可能な大きさ及び形状に設けたことを特徴とする。
【００１６】
この発明によると、紙片矯正装置を販売機が設置された場所に携帯することができるので、販売機が設置された現場にて、紙片を略真っ直ぐな状態に矯正することができる。
【発明の効果】
【００１７】
この発明によれば、第１及び第２の矯正ローラにより反りが生じた紙片を機械的に繰り出しするのに適した略真っ直ぐな状態に矯正するので、販売機により装填する際に、複数枚の紙片が上下に重なり合ったまま繰り出されたり、搬送経路途中に詰まったりする等の繰出しミスが発生することがなく、紙片を機械的に１枚ずつ確実に繰り出しすることができる。また、ベルトを押し付けて矯正するよりも接触面積及び接触抵抗が小さく、紙片の表裏に擦り傷が付いたり、表裏に印刷された塗料やインク等が剥離するのを防止することができる。
【００１８】
また、紙片矯正装置を販売機が設置された場所に携帯することができるので、繰出しミスが発生するような反りが生じた紙片を発見した際に、販売機が設置された現場にて、反りが生じた紙片を略真っ直ぐな状態に矯正する作業が即行える。したがって、反りが生じた紙片を、略真っ直ぐな紙片と交換したり、回収したりする必要がなく、現場で迅速に処理することができる。
【発明を実施するための最良の形態】
【００１９】
この発明は、紙片を機械的に繰り出しするのに適した状態に矯正することができるという目的を、反りが生じた紙片を一対の矯正ローラにより反りが生じた方向とは逆の方向へ変形させて略真っ直ぐな状態に矯正することで達成した。
【実施例】
【００２０】
この発明の一実施例を以下図面に基づいて詳述する。  
図面は、紙片の一例であるチケットを機械的に繰り出しするのに適した状態に矯正する際に用いられる紙片矯正装置を示し、図１に於いて、この紙片矯正装置１は、作業者の手で携帯可能な大きさ及び形状に形成したボックス型の装置本体１ａ内部に、反りが生じたシート状のチケットＡを上下に積層したまま装填する装填部２と、装填部２から繰り出されるチケットＡを分離する分離部３と、分離部３から供給されるチケットＡを略真っ直ぐな状態に矯正する矯正部４と、矯正部４から供給される矯正済みのチケットＡを集積する集積部５とを内蔵している。
【００２１】
装置本体１ａの装填部２上方には、反りが生じたチケットＡの挿入が許容される挿入口１ｂを設けている。また、集積部５上方には、矯正済みチケットＡの取り出しが許容される取出し口１ｃを設けている。なお、例えば蓋、扉、シャッタ等の閉塞部材を、挿入口１ｂと取出し口１ｃに対して開閉自在に設けてもよい。
【００２２】
装填部２は、図２にも示すように、略矩形のチケットＡが上下に積層した状態に装填可能な長さ及び幅に形成され、内側下部に配置したチケットＡが載置される受け板２ａと、受け板２ａ両側部に配置した左右壁部２ｂ，２ｂと、受け板２ａの繰出し側上部に配置した前側壁部２ｃと、受け板２ａの反繰出し側に配置した後側壁部２ｄとで上方が開口された箱形状に構成している。また、左右壁部２ｂ，２ｂの間隔と、前後壁部２ｃ，２ｄの間隔を、チケットＡのサイズに応じて可変調整自在に設けてもよい。
【００２３】
受け板２ａの繰出し側上面と、壁部２ｃの繰出し側下端との間には、受け板２ａに載置された下層側のチケットＡの繰出しが許容される繰出し口２ｅを設けている。
【００２４】
繰出し口２ｅに接続したチケットＡの搬送経路は、受け板２ａの繰出し側に連設した案内板２Ａと、壁部２ｃの繰出し側に連設した案内板２Ｃの対向面間に形成され、装填部２の繰出し口２ｅから繰出されるチケットＡが矯正部４に搬送される長さに設けている。
【００２５】
案内板２Ａの矯正部４と対応する案内面は、後述する矯正ローラ１１Ａの下部周面に沿ってチケットＡが搬送される凹面形状に形成している。また、案内板２Ａの案内面を曲面形状に形成してもよい。
【００２６】
受け板２ａの載置面には、受け板２ａ上に載置されるチケットＡの前側左右下面と後側左右下面に対向して、後述する繰出しローラ６…の一部周面が突出許容される大きさ及び形状に形成した開口部２ａＡ…を複数開口（図５参照）している。
【００２７】
繰出しローラ６…は、受け板２ａの開口部２ａＡ…と対向して、繰出し側開口部２ａＡの下方に軸架した支軸７Ａａの両端部と、反繰出し側開口部２ａＡの下方に軸架した支軸７Ｂａの両端部に固定している。また、繰出しローラ６…の一部周面は、開口部２ａＡ…よりも上方に突出され、受け板２ａ上に載置された最下層のチケットＡに対して押付けられるようになっている。
【００２８】
また、繰出しローラ６…は、後述するモータ１３の駆動力により、支軸７Ａａ，７Ｂａ端部に固定したプーリ７Ａｂ，７Ｂｂと、プーリ７Ａｂ，７Ｂｂの間に張架したベルト７Ｃと、支軸７Ａａ端部に固定したプーリ７Ａｃと、後述する支軸９Ｂａ端部に固定したプーリ９Ｂｃと、プーリ７Ａｃ，９Ｂｃの間に張架したベルト７Ｄを介して、受け板２ａに載置された最下層のチケットＡが繰出し方向に向けて移送される方向へ回転する。
【００２９】
分離部３は、繰出し口２ｅ後方の搬送経路に搬送されるチケットＡ上面と対向して分離ローラ９Ａを搬送経路上部に配置し、チケットＡ下面と対向して左右一対の分離ローラ９Ｂ，９Ｂを搬送経路下部に配置（図１、図２参照）している。また、分離ローラ９Ａの下部周面は分離ローラ９Ｂ，９Ｂの上部周面に押し当てられ、分離ローラ９Ａ及び９Ｂ，９ＢによりチケットＡを厚み方向に押圧又は挟持しながら搬送する。
【００３０】
分離ローラ９Ａは、壁部２ｃの繰出し側曲面部に形成した開口部２ｃＡと対向して、開口部２ｃＡ上方に軸架した支軸９Ａａの中央部に固定している。また、分離ローラ９Ａの一部周面は開口部２ｃＡよりも下方に突出され、繰出し口２ｅ直後の搬送経路を搬送されるチケットＡ上面に対して押付けられるようになっている。
【００３１】
分離ローラ９Ｂ，９Ｂは、繰出し口２ｅ直後の受け板２ａ上面に形成した左右の開口部２ａＢ，２ａＢ（図５参照）と対向して、開口部２ａＢ下方に軸架した支軸９Ｂａの両端部に固定している。また、分離ローラ９Ｂの一部周面は開口部２ａＢよりも上方に突出され、繰出し口２ｅ直後の搬送経路を搬送されるチケットＡ下面に対して押付けられるようになっている。
【００３２】
また、分離ローラ９Ａ，９Ｂは、後述するモータ１３の駆動力により、支軸９Ａａ，９Ｂａ端部に固定したプーリ９Ａｂ，９Ｂｂと、後述する支軸１２Ａａ端部に固定したプーリ１２Ａｃと、プーリ９Ａｂ，９Ｂｂ，１２Ａｃの間に張架したベルト９Ｃを介して、装填部２の繰出し口２ｅから繰出されるチケットＡが１枚に分離される方向へ回転する。
【００３３】
つまり、上方の分離ローラ９Ａは、最下層（１枚目）のチケットＡに重ね合わされるか、１列に連なる状態で繰出される２枚目以降のチケットＡに対して反繰出し方向に向けて接触抵抗が付与される方向に回転する。下方の分離ローラ９Ｂ，９Ｂは、最下層のチケットＡが繰出し方向に向けて移送される方向に回転する。また、分離ローラ９Ａ，９Ｂの少なくとも一方を、チケットＡの厚みに応じて接離される方向に対して上下移動自在に設けてもよい。
【００３４】
矯正部４は、図３、図４にも示すように、分離部３後方の搬送経路を搬送されるチケットＡ上面と対向して左右一対の矯正ローラ１１Ａ，１１Ａを搬送経路上部に配置している。また、チケットＡ下面と対向して左右一対の前側矯正ローラ１２Ａ，１２Ａと後側矯正ローラ１２Ｂ，１２Ｂを搬送経路下部に配置している。
【００３５】
また、第１の矯正ローラ１１Ａと第２の矯正ローラ１２Ａ，１２Ｂは、チケットＡが厚み方向に対して押圧される方向に対接され、矯正ローラ１２Ａを矯正ローラ１１Ａの前側下部周面に押し当て、矯正ローラ１２Ｂを矯正ローラ１１Ａの後側下部周面に押し当てて、上方に配置した第１の矯正ローラ１１Ａ，１１Ａと、下方に配置した第２の矯正ローラ１２Ａ，１２Ａ及び１２Ｂ，１２ＢによりチケットＡを厚み方向に押圧又は挟持しながら搬送する。
【００３６】
第１の矯正ローラ１１Ａ，１１Ａは、矯正ローラ１２Ａ，１２Ｂよりも大径に形成され、壁部２ｃの案内板２Ｃ上面に形成した左右の開口部２ｃＢ，２ｃＢと対向して、開口部２ｃＢ上方に軸架した支軸１１Ａａの両端部に固定している。また、矯正ローラ１１Ａの一部周面は開口部２ｃＢよりも下方に突出され、矯正部４の搬送経路を搬送されるチケットＡ上面の略横幅全体に対して押付けられるようになっている。
【００３７】
第２の前側矯正ローラ１２Ａ，１２Ａは、受け板２ａの案内板２Ａ上面に形成した左右の開口部２ａＣ，２ａＣ（図５参照）と対向して、前側開口部２ａＣ下方に軸架した支軸１２Ａａの両端部にそれぞれ固定している。
【００３８】
第２の後側矯正ローラ１２Ｂ，１２Ｂは、案内板２Ａ終端に形成した左右の切欠き部２ａＤ，２ａＤ（図５参照）と対向して、切欠き部２ａＤ下方に軸架した支軸１２Ｂａの両端部にそれぞれ固定している。
【００３９】
また、矯正ローラ１２Ａの一部周面は開口部２ａＣよりも上方に突出され、矯正ローラ１２Ｂの一部周面は切欠き部２ａＤよりも上方に突出されるとともに、矯正部４の搬送経路を搬送されるチケットＡ下面の略横幅全体に対して押付けられるようになっている。
【００４０】
また、矯正ローラ１１Ａ，１２Ａ，１２Ｂは、矯正ローラ１１Ａの支軸１１Ａａ端部に、装置本体１ａ内の矯正部４側部に配置したモータ１３を直結して、モータ１３の駆動力により、支軸１１Ａａ端部に固定したギヤ１１Ａｂと、支軸１２Ａａ端部に固定したギヤ１２Ａｂと、支軸１２Ｂａ端部に固定したギヤ１２Ｂｂとを介して、矯正部４から供給されるチケットＡが集積部５に向けて移送される方向へ回転する。
【００４１】
なお、矯正ローラ１１Ａ，１２Ａ，１２Ｂの回転速度は、チケットＡの反り具合に応じて略真っ直ぐな状態に矯正するのに適した速度に制御される。
【００４２】
且つ、モータ１３は、プーリ７Ａｃ，９Ｂｃ及びベルト７Ｄと、プーリ９Ａｂ，９Ｂｂ，１２Ａｃ及びベルト９Ｃを介して、繰出しローラ６…と、分離ローラ９Ａ，９Ｂと、矯正ローラ１１Ａ，１２Ａ，１２Ｂとを一体的に連動して回転する。
【００４３】
繰出しローラ６と、分離ローラ９Ａ，９Ｂと、矯正ローラ１１Ａ，１２Ａ，１２Ｂの外周面には、例えばウレタンゴム、スポンジゴム等の接触抵抗が大きい部材を被覆している。また、ローラ６，９Ａ，９Ｂ，１１Ａ，１２Ａ，１２Ｂの外周面を、上記接触抵抗の大きい部材で形成してもよい。また、矯正ローラ１１Ａ及び１２Ａ，１２Ｂの少なくとも一方を、チケットＡの厚みに応じて接離される方向へ上下移動自在に設けてもよい。
【００４４】
集積部５は、矯正部４から供給される矯正済みのチケットＡが上方から順に積層した状態に集積可能な長さ及び幅に形成され、内側下部に配置したチケットＡが載置される受け板５ａと、受け板５ａ両側部に配置した左右壁部５ｂ，５ｂと、受け板５ａ前部に配置した前側壁部５ｃと、受け板５ａ後部に配置した後側壁部５ｄとで上方が開口された箱形状に構成している。また、左右壁部５ｂ，５ｂの間隔と、前後壁部５ｃ，５ｄの間隔を、チケットＡのサイズに応じて可変調整自在に設けてもよい。
【００４５】
なお、装置本体１ａ内部には、モータ１３の駆動及び停止を制御する制御装置と、モータ１３を駆動するのに必要な電力を供給するトランスを内蔵している。また、装置本体１ａ側部には、トランスに電力を供給するためのコードを接続しており、そのコードの端部には、電源（コンセント）に接続するためのプラグを接続している。また、装置本体１ａの操作面には、矯正処理可能な待機状態に通電する電源スイッチと、モータ１３を駆動するための起動スイッチを配列している。
【００４６】
また、制御装置に内蔵したタイマーによりモータ１３を予め設定した時間駆動したり、ランプやブザー等の報知器により、通電状態、起動状態、処理開始、処理終了等を報知してもよい。なお、上記制御装置、トランス、コード、プラグ、電源スイッチ、起動スイッチは、公知の制御手段であるため図示省略する。
【００４７】
また、プラグやコードに代えて、モータ１３に電力を供給するためのバッテリーを装置本体１ａに内蔵するか、携帯型のバッテリーを装置本体１ａに対して接続可能に設けてもよい。
【００４８】
図示実施例は上記の如く構成するものにして、以下、紙片矯正装置１によるチケットＡの反り矯正方法を説明する。
【００４９】
先ず、１つに束ねられたチケットＡ…を、図示しない専用の販売機に装填する際に、シート状のチケットＡが機械的に繰り出しするのに適した略真っ直ぐな状態であるか、繰り出しするのに不向きな反りが生じた状態であるかを作業者の目で目視判定する。
【００５０】
矯正不要と判定されたチケットＡ…は販売機に装填するが、矯正必要と判定されたチケットＡは、作業者が携帯する紙片矯正装置１により略真っ直ぐな状態に矯正処理してから装填する。
【００５１】
上記矯正必要なチケットＡを紙片矯正装置１による矯正する場合、装置本体１ａに接続された図示しないプラグを、販売機が設置された電源（コンセント）に差し込んだ後、電源スイッチをＯＮ操作して矯正処理可能な待機状態に通電する。
【００５２】
次に、図１に示すように、装置本体１ａの挿入口１ｂを開放して、側方から見て略中央部が浮き上がった状態に反りが生じたチケットＡ…を、該チケットＡの浮き上がった略中央部が上向きとなるように装填部２の上方から装填する。この後、図示しない起動スイッチをＯＮ操作して、一つのモータ１３の駆動力により、繰出しローラ６…と、分離ローラ９Ａ，９Ｂと、矯正ローラ１１Ａ，１２Ａ，１２Ｂを連動して回転する。
【００５３】
図２にも示すように、装填部２に装填された最下層のチケットＡを、繰出しローラ６…の上部周面に押付け、繰出し方向へ回転する繰出しローラ６…の回転力により、上下に積層されたチケットＡ…を下層側から順に繰出し方向に向けて移送し、繰出し口２ｅから順に繰出されるチケットＡを、分離部３の分離ローラ９Ａと分離ローラ９Ｂ，９Ｂの間に送り込む。
【００５４】
分離ローラ９Ａを、最下層（１枚目）のチケットＡに重ね合わされるか、１列に連なる状態で繰出される２枚目以降のチケットＡに押付けるとともに、反繰出し方向へ回転する分離ローラ９Ａの回転力により、２枚目以降のチケットＡに対して反繰出し方向に向けて接触抵抗を付与する。
【００５５】
分離ローラ９Ｂ，９Ｂを、最下層（１枚目）のチケットＡに押付けるとともに、繰出し方向へ回転する分離ローラ９Ｂ，９Ｂの回転力により、最下層のチケットＡを繰出し方向に向けて移送する。つまり、反繰出し方向へ回転する分離ローラ９Ａと、繰出し方向へ回転する分離ローラ９Ｂ，９Ｂの回転力により、装填部２の繰出し口２ｅから繰出されるチケットＡを１枚ずつに分離して、矯正部４の矯正ローラ１１Ａと矯正ローラ１２Ａ，１２Ｂの間に送り込む。
【００５６】
図３、図４にも示すように、分離部３から供給される反りが生じたチケットＡを、矯正ローラ１２Ａ，１２Ｂにより矯正ローラ１１Ａの前後下部周面に沿った状態に押し付けながら搬送経路に沿って搬送する。
【００５７】
且つ、チケットＡ全体を、大径に形成した矯正ローラ１１Ａの下部外周面に沿った状態に押し付けて略均等に矯正するとともに、反りが生じた方向とは逆の方向へ略同程度に変形させて、反りを取り除くことにより略真っ直ぐな状態に矯正する。
【００５８】
矯正部４後方に繰出される矯正済みのチケットＡを、集積部５内に上方から１枚ずつ投入して上下に積層した状態に集積する。矯正済みのチケットＡを集積する際に、上下に積層されるチケットＡ…の間に空気が入り込むため、各チケットＡ…の対向面間に生じる接触抵抗が小さくなり、１枚ずつ繰り出しするのに適した状態に集積することができる。
【００５９】
矯正済みのチケットＡ…が集積部５の上限集積位置まで集積されるか、所定枚数のチケットＡ…が集積されたとき、或いは、装填部２に装填された全チケットＡ…の矯正処理が終了した際に、起動スイッチをＯＦＦ操作して、モータ１３の駆動を停止する。この後、装置本体１ａの取出し口１ｃを開放して、矯正済みのチケットＡ…を集積部５の上方から取出し、専用の販売機に装填する。
【００６０】
また、先に装填されたチケットＡ…の矯正処理中又は矯正処理が終了した後、反りが生じたチケットＡ…を装填部２の上方から装填して、チケットＡの矯正処理を継続してもよい。
【００６１】
以上のように、反りが生じたチケットＡを機械的に繰り出しするのに適した略真っ直ぐな状態に矯正するので、販売機により装填する際に、複数枚のチケットＡ…が上下に重なり合ったまま繰り出されたり、搬送経路途中に詰まったりする等の繰出しミスが発生することがなく、チケットＡ…を機械的に１枚ずつ確実に繰り出しすることができる。また、ベルトを押し付けて矯正するよりも接触面積及び接触抵抗が小さく、チケットＡの表裏に擦り傷が付いたり、表裏に印刷された塗料やインク等が剥離するのを防止することができる。
【００６２】
また、紙片矯正装置１を販売機が設置された場所に携帯することができるので、繰出しミスが発生するような反りが生じたチケットＡを発見した際に、販売機が設置された現場にて、反りが生じたチケットＡを略真っ直ぐな状態に矯正する作業が即行える。したがって、反りが生じた矯正必要なチケットＡを、略真っ直ぐな矯正不要なチケットＡと交換したり、回収したりする必要がなく、現場で迅速に処理することができる。
【００６３】
本発明の紙片矯正装置１により矯正したチケットＡ…を販売機に装填するので、紙片矯正装置１を販売機に内蔵する必要がなく、販売機自体の構造及び構成が簡素化されるため、安価に製作することができる。
【００６４】
この発明の構成と、上述の実施例との対応において、  
この発明の紙片は、実施例のチケットＡに対応し、  
以下同様に、  
第１及び一方の矯正ローラは、矯正ローラ１１Ａに対応し、  
第２及び他方の矯正ローラは、矯正ローラ１２Ａ，１２Ｂに対応し、  
ローラ駆動手段は、モータ１３に対応するも、  
この発明は、上述の実施例の構成のみに限定されるものではなく、請求項に示される技術思想に基づいて応用することができ、多くの実施の形態を得ることができる。
【００６５】
例えば反りが生じた状態に形状記憶されたチケットＡ、或いは、同程度に変形しても略真っ直ぐな状態に矯正することが難しい材質のチケットＡは、反りが生じた方向とは逆の方向へ同程度以上に変形するとよい。
【００６６】
また、矯正ローラ１１Ａ，１２Ａ，１２Ｂの押圧力、外径等を、チケットＡの厚み、材質、反り具合等に応じて調整又は変更してもよい。
【００６７】
また、最後のチケットＡが集積部５に集積されるか、集積部５の上限集積位置までチケットＡが集積された際に、モータ１３の駆動を停止してもよい。
【００６８】
また、装填部２から全チケットＡ…が繰り出されるか、集積部５の上限集積位置までチケットＡが集積されたことを、報知器により報知してもよい。
【産業上の利用可能性】
【００６９】
本発明の紙片矯正装置は、長さ方向に対して分離可能に形成されたチケットを矯正する際にも用いることができる。
【図面の簡単な説明】
【００７０】
【図１】紙片矯正装置の内部構造を示す縦断側面図。
【図２】チケットの繰出し動作及び分離動作を示す拡大側面図。
【図３】チケットの矯正動作を示す拡大側面図。
【図４】各ローラの配置を示す斜視図。
【図５】各ローラを突出する開口部及び切欠き部の配置を示す平面図。
【符号の説明】
【００７１】
Ａ…チケット
１…紙片矯正装置
１ａ…装置本体
１ｂ…挿入口
１ｃ…取出し口
２…装填部
２ｅ…繰出し口
３…分離部
４…矯正部
５…集積部
６…繰出しローラ
９Ａ，９Ｂ…分離ローラ
１１Ａ，１２Ａ，１２Ｂ…矯正ローラ
１３…モータ
【図１】
2008094598.tif 000003
【図２】
2008094598.tif 000004
【図３】
2008094598.tif 000005
【図４】
2008094598.tif 000006
【図５】
2008094598.tif 000007